(57)【要約】      （修正有）【課題】粘土が型の内部に残留すること無く粘土で床屋さん遊びができる、キャップとスペーサーとを備えた粘土押出し玩具を提供する。【解決手段】設置された粘土を押圧するピストンを有する粘土押出器１１と、粘土押出器の押出穴を閉じるキャップ３５とキャップに挿入されるスペーサー４５とを有し、動物形状のキャップにはその頂部に成形孔３９が穿設されており、スペーサーは頂部を半球形状とするものであり、キャップ内に詰めた粘土を、キャップ頂部に設けた複数の成形孔からピストンによりスペーサーを介して押し出すため、頭部から髪の毛が生えるように粘土を押出し成形することができる粘土押出玩具である。【選択図】図１
2006115942.tif 000002
【特許請求の範囲】
【請求項１】
粘土を押し出すピストンを内蔵する押出孔を備えた粘土押出器と、粘土押出器の上端に取り付けられるキャップと、キャップ内に挿入されるスペーサーとを有し、粘土押出器の押出し孔を閉じる中空キャップはその頂部に複数の成形孔を備え、キャップ内に粘土とスペーサーとを挿入し、ピストンでスペーサーを押し上げることによりキャップ頂部から粘土を押し出すことを可能としたことを特徴とする粘土押出玩具。
【請求項２】
キャップは円筒部と半球状頂部を備え、動物形状の外形に形成されていることを特徴とする請求項１に記載された粘土押出玩具。
【請求項３】
スペーサーは、頂部を半球形状とされていることを特徴とする請求項１又は請求項２に記載された粘土押出玩具。
【発明の詳細な説明】
【技術分野】
【０００１】
本発明は、粘土を押し出すことにより成形して遊ぶ玩具に関するものである。
【背景技術】
【０００２】
今日、粘土押出玩具は、さまざまな遊び方ができる機能のものが多く存在する。例えば、粘土押出器に動物形状の型を設置し、動物の四肢や頂部の形状を模した突出成形部分を持つ粘土造形物が形成されるものがある。
【特許文献１】特開２００１ー３２２１０９号公報
【発明の開示】
【発明が解決しようとする課題】
【０００３】
前述のように従来の粘土押出玩具には、動物の四肢を粘土で成形し動物の粘土造形物を形成するものはあるが、動物の頭部から髪の毛を模して粘土を形成し、髪の毛が生えてくるように見えるものがなかった。また、動物の頭部のように半球状の部分から粘土を押し出す場合、型の内部に粘土が多量に残る問題があった。
本発明は、動物の髪の毛が生えてくるように見える遊びの出来る粘土押出玩具を提供するものである。
【課題を解決するための手段】
【０００４】
本発明は、粘土を押し出すピストンを内蔵する押出孔を備えた粘土押出器と、粘土押出器の上端に取り付けられるキャップとキャップ内に挿入されるスペーサーとを有し、粘土押出器の押出し孔を閉じる中空キャップはその頂部に複数の成形孔を備え、キャップ内に粘土とスペーサーとを挿入し、ピストンでスペーサーを押し上げることにより、キャップ頂部に設けた複数の成形孔から粘土を押出す粘土押出し玩具とするものである。
これにより、キャップの頂部、即ち頭部から髪の毛が生えるように見せて粘土を押出し成形することができる。
【０００５】
本発明はキャップを円筒部と半球状頂部を備える形状とすると共に、動物の外形に形成することが好ましい。
これにより動物の頭部から髪の毛が生えるように見せて粘土を押出し成形することができる。
【０００６】
スペーサーは、頂部を半球形状とし、キャップ内面の頂部に合わせた形状とする粘土押出し玩具である。
これにより均一に粘土を押出成形することができ、且つキャップに粘土を残さないようにして最後まで押し出すことができる。
【発明の効果】
【０００７】
請求項１に記載した本発明は、粘土押出器と、頂部に成形孔が穿設されたキャップと、キャップ内に挿入されるスペーサーとを備えた粘土押出玩具とするものである。
従って、キャップの頂部から髪の毛が生えるように粘土を押出し成形し、この粘土をハサミ等で切断することで床屋さん遊びをすることができる。
【０００８】
また、請求項２に記載した本発明は、キャップを円頭部と半球状頂部からなる形状とし、動物の外形に形成する粘土押出し玩具である。
従って、明らかに動物の頭から髪の毛が生えるように見せることができ、粘土の髪の毛を切断することで床屋さん遊びをすることができる。
【０００９】
更に、請求項３に記載した本発明は、スペーサーの頂部を半球形状とし、キャップ内面の頂部と略同一形状とする粘土押出し玩具である。
従って、均一に粘土を押出し成形することができ、且つキャップに粘土を残さないようにして粘土を最後まで押出すことができる。
【発明を実施するための最良の形態】
【００１０】
本発明は、キャップ３５とキャップ３５内に挿入された粘土を押圧するピストン３１を有する粘土押出器１１と、スペーサー４５とで構成し、粘土押出器１１の押出穴を閉じる動物形状のキャップ３５にはその頂部４１に成形孔３９を穿設し、頂部を半球形状とするスペーサー４５をピストン３１の上端に載置することで、キャップ３５の頂部に設けた複数の成形孔から粘土を押出すことができるよいにするものである。
【００１１】
このためキャップの頭部から髪の毛が生えるように粘土を押出し成形することができ、キャップ３５内の粘土を動物の頭部から髪の毛が生えるように見せて押出して、且つ、粘土を残さないように押出すことのできる粘土押出玩具である。
【実施例】
【００１２】
本発明にかかる粘土押出玩具は、図１に示すように、粘土押出器１１とキャップ３５とスペーサー４５からなる。
【００１３】
粘土押出器１１は、図１に示すように、本体部１３と操作板２５、そして本体部１３の天板部１６に設けた開口部１９に収納されるピストン３１からなる。
【００１４】
この本体部１３は、図１に示すように、箱状の台部１４と、該台部１４の下端の一辺から延設される延設部１７からなる。台部１４は直方体の上端の辺を各々斜めに切り落とした形状をしている。
なお、その側壁部１５の内側に操作部２３が軸着されている。
そして、天板部１６にはキャップ３５を設置するための係合突起１８が複数個設けられ、該係合突起１８の中心付近に円形の開口部１９が穿設され、該開口部１９の径はピストン３１の外径よりも多少大きくされているものである。
また、該開口部１９の周縁部から下方へ案内管２１が突設されている。一方、延設部１７は操作板２５が収まるように、操作板２５の形状に合わせてその内側に空間を設けてある。
【００１５】
操作部２３は、図２に示すように、板状の操作板２５と連結部２６からなる。そして連結部２６はピストン３１を挟むために二股に分かれており、該連結部２６における操作板２５側の端部上方には本体部１３へ操作部２３を回動可能に軸止する為の軸孔ａ２７が穿設されている。またピストン３１を連結部２６の間に挟んで軸止するために、連結部２６の先端付近に長孔３０が穿設されている。
【００１６】
図２に示すように、連結部２６の裏面における、長孔３０と軸孔ａ２７の中間付近にバネ２９を掛着する為の掛着突起２８が形成されている。
ピストン３１は円柱状で、その径は本体部１３の案内管２１の内径と略同じであり、図４に示すように案内管２１へ摺動可能に設置される。該ピストン３１の下端部には、操作部２３の長孔３０へピンにより遊嵌するための軸孔を穿設してある。
【００１７】
又、キャップ３５は、図１に示すように、胴部４３は短円筒形状、頂部４１は半球状とされており、内部が中空であって全体として動物の形状をしている。また頂部４１に多数の成形孔３９を穿設しており、下端部には四角形状の台座部３７を有する。
スペーサー４５は、胴部は短円筒形状、頂部は半球状であり、キャップ３５の内側と略同一形状とされ、スペーサー４５の胴部をキャップ３５の胴部４３よりも短く形成されている。
【００１８】
このように本実施例の形態における粘土押出玩具では、ピストン３１を押し下げた状態、つまり図１に示すように操作板２５が上がっている状態において、粘土をキャップ３５の内部に詰め、スペーサー４５をキャップの内部に挿入し、図３に示すように本体部１３における天板部１６の開口部１９を該キャップ３５で閉じるようにする。このとき本体部１３における天板部１６にある複数の係合突起１８とキャップ３５の台座部３７を係合させ、キャップ３５を固定する。
【００１９】
そして操作板２５を押し下げると、軸孔ａ２７が支点となり、ピストン３１を上方に押し上げることができる。従って、ピストン３１によりスペーサー４５がキャップ３５内を押し上げられる。
そしてスペーサー４５の頂部を半球状としていることにより、粘土が均一にキャップ３５に押し当てられ、均一に粘土を押出すことができる。
これにより図４に示すように動物形状のキャップ３５に穿設された多数の成形孔３９から粘土が押出され粘土の髪の毛が生えてくるように見せることができる。その結果、髪の毛をハサミで切るようにして遊ぶことができ、子供が楽しく床屋さん遊びをすることができる。
【００２０】
このように、本実施の形態における粘土押出器１１は本体部１３と操作部２３、ピストン３１からなり、この粘土押出器１１とスペーサー４５からなる粘土押出玩具は、動物の頭から髪の毛が生えてくるように見せることにより、粘土を用いて床屋さん遊びを行うことができる。また、ピストン３１の上端に設置されるスペーサー４５により、均一に粘土が押し出され、キャップ３５内に粘土を残さないようにして粘土を押し出すことが出来る。
【００２１】
そして、図２に示すように、操作板２５が押し下げられるとバネ２９が自然長よりも伸ばされるため、操作板２５を押さえる力が解放されるとバネ２９が戻ろうとすることによりピストン３１が下方に移動し、これに対応して操作板２５が上方に移動する。
【００２２】
本実施例は、キャップ３５を動物形状としたものであるが、この形状に限らず人や恐竜等の生き物やドラえもん等のキャラクターを模した形をしているものでも良い。
また、スペーサー４５は、キャップ３５の胴部長さとピストン３１との上下移動距離に合わせて短円筒部の長さが決定され、キャップ３５の胴部長さが短い時、スペーサー４５を単純な半球形状として頂部をキャップ３５の内部の頂部形状に合わせることもある。
【図面の簡単な説明】
【００２３】
【図１】本発明に係る粘土押出玩具の分解図である。
【図２】本発明に係る粘土押出玩具の本体部内部の構造を示す断面図である。
【図３】本発明に係る粘土押出玩具の一実施の形態を示したもので、装置全体を示した斜視図である。
【図４】本発明に係る粘土押出玩具の使用状態における内部の構造を示した分解図である。
【符号の説明】
【００２４】
１１  粘土押出器
１３  本体部            １４  台部
１５  側壁部            １６  天板部
１７  延設部        １８  係合突起
１９  開口部        ２１  案内管
２３  操作部
２５  操作板        ２６  連結部
２７  軸孔ａ        ２８  掛着突起
２９  バネ        ３０  長孔
３１  ピストン
３５  キャップ
３７  台座部        ３９  成形孔
４１  頂部        ４３  胴部
４５  スペーサー
【図１】
2006115942.tif 000003
【図２】
2006115942.tif 000004
【図３】
2006115942.tif 000005
【図４】
2006115942.tif 000006